(57)【特許請求の範囲】
【請求項１】
予約された楽曲を演奏するカラオケ装置と前記カラオケ装置との間で処理を行う携帯端末とを備え、前記カラオケ装置と前記携帯端末とが互いに通信可能に紐付けされるカラオケシステムであって、
前記携帯端末は、
前記カラオケ装置との間でデータの送受信を行う端末側無線通信部と、
前記携帯端末を利用するユーザのＩＤである端末ユーザＩＤを記憶する端末側記憶部と、
前記携帯端末の動作を制御する端末制御部とを備え、
前記カラオケ装置は、
前記携帯端末との間でデータの送受信を行う装置側無線通信部と、
前記カラオケ装置にログインしているユーザのＩＤである装置ユーザＩＤを記憶する装置側記憶部と、
前記カラオケ装置の動作を制御する装置制御部とを備え、
前記端末制御部は、
前記端末側記憶部から取得した前記端末ユーザＩＤを、前記端末側無線通信部を介して、前記カラオケ装置に送信する端末側ＩＤ送信手段を有し、
前記装置制御部は、
前記端末側ＩＤ送信手段によって前記携帯端末から送信された前記端末ユーザＩＤと、前記装置側記憶部に記憶される前記装置ユーザＩＤとの比較に基づいて、前記端末ユーザＩＤが前記装置ユーザＩＤに含まれるか否かを判断する装置側判断手段を有し、
前記端末制御部及び前記装置制御部の少なくとも一方は、
前記装置側判断手段によって前記端末ユーザＩＤが前記装置ユーザＩＤに含まれないと判断された場合、前記紐付けを解除する、
ことを特徴とするカラオケシステム。
【請求項２】
前記携帯端末は、ユーザによって操作される操作部をさらに備え、
前記端末制御部は、前記操作部が操作されたとき、前記端末側ＩＤ送信手段を実行する、
請求項１に記載のカラオケシステム。
【請求項３】
予約された楽曲を演奏するカラオケ装置と前記カラオケ装置との間で処理を行う携帯端末とを備え、前記カラオケ装置と前記携帯端末とが互いに通信可能に紐付けされるカラオケシステムであって、
前記携帯端末は、
前記カラオケ装置との間でデータの送受信を行う端末側無線通信部と、
前記携帯端末を利用するユーザのＩＤである端末ユーザＩＤを記憶する端末側記憶部と、
前記携帯端末の動作を制御する端末制御部とを備え、
前記カラオケ装置は、
前記携帯端末との間でデータの送受信を行う装置側無線通信部と、
前記カラオケ装置にログインしているユーザのＩＤである装置ユーザＩＤを記憶する装置側記憶部と、
前記カラオケ装置の動作を制御する装置制御部とを備え、
前記装置制御部は、
前記装置側記憶部に記憶される前記装置ユーザＩＤを、前記装置側無線通信部を介して、前記携帯端末へ送信する装置側ＩＤ送信手段を有し、
前記端末制御部は、
前記カラオケ装置から送信された前記装置ユーザＩＤと、前記端末側記憶部に記憶され
る前記端末ユーザＩＤとの比較に基づいて、前記装置ユーザＩＤが前記端末ユーザＩＤに含まれるか否かを判断する端末側判断手段を有し、
前記端末制御部及び前記装置制御部の少なくとも一方は、
前記端末側判断手段によって前記端末ユーザＩＤが前記装置ユーザＩＤに含まれないと判断された場合、前記紐付けを解除する、
ことを特徴とするカラオケシステム。
【請求項４】
前記携帯端末は、
ユーザによって操作される操作部をさらに備え、
前記端末制御部は、前記操作部が操作されたとき、前記カラオケ装置に対し前記装置ユーザＩＤを要求し、
前記装置制御部は、前記端末制御部によって前記装置ユーザＩＤが要求されたとき、前記装置側ＩＤ送信手段を実行する、
請求項３に記載のカラオケシステム。
【請求項５】
前記携帯端末は、
情報の提示を行う情報提示部をさらに備え、
前記端末制御部は、
前記紐付けされた状態が解除されたとき、前記紐付けが解除されたことを示す情報を、前記情報提示部に対して提示する提示処理手段をさらに有する、
請求項１から４の何れか１項に記載のカラオケシステム。
【請求項６】
予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末であって、
前記カラオケ装置との間でデータの送受信を行う端末側無線通信部と、
前記携帯端末を利用するユーザのＩＤである端末ユーザＩＤを記憶する端末側記憶部と、
前記携帯端末の動作を制御する端末制御部とを備え、
前記端末制御部は、
前記端末側記憶部に記憶される前記端末ユーザＩＤを、前記端末側無線通信部を介して、前記カラオケ装置に送信するＩＤ送信制御手段と、
前記ＩＤ送信制御手段によって前記携帯端末から送信された前記端末ユーザＩＤが、前記カラオケ装置にログインしているユーザのＩＤである装置ユーザＩＤに含まれるか否かが判断された判断結果を、前記端末側無線通信部を介して受信する結果受信制御手段と、
前記結果受信制御手段の受信結果が、前記端末ユーザＩＤが前記装置ユーザＩＤに含まれないことを示す場合、前記紐付けを解除する紐付解除手段とを有する、
ことを特徴とする携帯端末。
【請求項７】
予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末であって、
前記カラオケ装置との間でデータの送受信を行う端末側無線通信部と、
前記携帯端末を利用するユーザのＩＤである端末ユーザＩＤを記憶する端末側記憶部と、
前記携帯端末の動作を制御する制御部とを備え、
前記制御部は、
前記カラオケ装置にログインしているユーザのＩＤである装置ユーザＩＤを、前記カラオケ装置から、前記端末側無線通信部を介して受信するＩＤ受信制御手段と、
前記装置ユーザＩＤが、前記端末側記憶部に記憶される前記端末ユーザＩＤに含まれるか否かを判断する判断手段と、
前記判断手段によって前記端末ユーザＩＤが前記装置ユーザＩＤに含まれないと判断された場合、前記紐付けを解除する紐付解除手段とを有する、
ことを特徴とする携帯端末。
【請求項８】
予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末において実行されるプログラムであって、
前記携帯端末を利用するユーザのＩＤである端末ユーザＩＤを取得する端末ユーザＩＤ取得ステップと、
前記端末ユーザＩＤ取得ステップによって取得された前記端末ユーザＩＤを、前記カラオケ装置との間でデータの送受信を行う端末側無線通信部を介して、前記カラオケ装置に送信するＩＤ送信制御ステップと、
前記ＩＤ送信制御ステップによって前記携帯端末から送信された前記端末ユーザＩＤが、前記カラオケ装置にログインしているユーザのＩＤである装置ユーザＩＤに含まれるか否かが判断された判断結果を、前記端末側無線通信部を介して受信する受信ステップと、
前記受信ステップでの受信結果が、前記端末ユーザＩＤが前記装置ユーザＩＤに含まれないことを示す場合、前記紐付けを解除する紐付解除ステップと、
を前記携帯端末に実行させることを特徴とするプログラム。
【請求項９】
予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末において実行されるプログラムであって、
前記携帯端末を利用するユーザのＩＤである端末ユーザＩＤを取得する端末ユーザＩＤ取得ステップと、
前記カラオケ装置にログインしているユーザのＩＤである装置ユーザＩＤを、前記カラオケ装置から、前記カラオケ装置との間でデータの送受信を行う端末側無線通信部を介して受信する受信ステップと、
前記装置ユーザＩＤが、前記端末ユーザＩＤ取得ステップによって取得された前記端末ユーザＩＤに含まれるか否かを判断する判断ステップと、
前記判断ステップにおいて前記端末ユーザＩＤが前記装置ユーザＩＤに含まれないと判断された場合、前記紐付けを解除する紐付解除ステップと、
を前記携帯端末に実行させることを特徴とするプログラム。
【請求項１０】
予約された楽曲を演奏するカラオケ装置と前記カラオケ装置との間で処理を行う携帯端末とを備え、前記カラオケ装置と前記携帯端末とが互いに通信可能に紐付けされるカラオケシステムで実行される接続解除方法であって、
前記携帯端末を利用するユーザのＩＤである端末ユーザＩＤを取得する端末側ＩＤ取得ステップと、
前記カラオケ装置にログインしているユーザのＩＤである装置ユーザＩＤを取得する装置ユーザＩＤ取得ステップと、
前記端末側ＩＤ取得ステップによって取得された前記端末ユーザＩＤが、前記装置ユーザＩＤ取得ステップによって取得された前記装置ユーザＩＤに含まれるか否かを判断する判断ステップと、
前記判断ステップにおいて前記端末ユーザＩＤが前記装置ユーザＩＤに含まれないと判断された場合、前記紐付けを解除する紐付解除ステップと、
を有することを特徴とする接続解除方法。
【発明の詳細な説明】
【技術分野】
【０００１】
カラオケ装置と携帯端末とが互いに通信可能に紐付けされるカラオケシステムに関する技術が開示される。特に、カラオケ装置と携帯端末との紐付けを解除する技術が開示される。
【背景技術】
【０００２】
従来、ユーザからの要求を受けて予約した楽曲を順次演奏するカラオケ装置が知られている。一例として、カラオケ装置は、外部の端末と通信を行うために、ＩｒＤＡ（登録商標）や無線ＬＡＮなどの無線通信機能を搭載する。そして、カラオケ装置と外部の端末とは、通信可能なように紐付けされる。例えば、特許文献１では、リモコンからカラオケ装置に指示を送信する際に、赤外線通信を利用して、リモコンとカラオケ装置が互いに紐付いた相手であるかを確認する技術が開示される。特許文献１では、リモコンが赤外線で通信した相手が紐付いていないカラオケ装置の場合、リモコンが記憶する紐付いた相手としてのカラオケ装置の情報が消去される。また、他の例として、特許文献２には、個人が所有する携帯電話などの携帯端末をカラオケ装置のリモコンとして利用する技術が開示される。
【先行技術文献】
【特許文献】
【０００３】
【特許文献１】特開２００９−１５９５５７公報
【特許文献２】特開２００６−７８７５９号公報
【発明の概要】
【発明が解決しようとする課題】
【０００４】
特許文献２のように、携帯電話などの携帯端末がカラオケ装置のリモコンとして利用される場合、特許文献１に記載の技術は、以下のような課題を有する。ユーザが所有する携帯端末は、ユーザが移動する際に、ユーザと共に移動すると考えられる。例えば、カラオケボックスなどにおいて、ある部屋に存在するカラオケ装置とユーザの携帯端末とが紐付いた状態を考える。この状態で、ユーザが携帯端末を持って一時的に他の部屋へ移動し、他の部屋から元の部屋のカラオケ装置への操作を希望したと仮定する。元の部屋のカラオケ装置と他の部屋に存在する携帯端末とは、無線ＬＡＮを介して通信可能である。無線ＬＡＮは、アクセスポイントを介して、部屋の外からも通信可能である。そのため、本来であれば、他の部屋から元の部屋のカラオケ装置への操作は、無線ＬＡＮを介することによって可能である。しかし、今、ユーザが有する携帯端末は他の部屋に存在しているため、特許文献１に記載の技術では、携帯端末と他の部屋のカラオケ装置とが赤外線で通信してしまう。その結果、携帯端末と元の部屋のカラオケ装置との紐付けが解除されてしまう。この問題を避けるために、赤外線を使わずに、無線ＬＡＮだけを利用して、携帯端末からカラオケ装置を操作する方法が考えられる。しかし、この場合、ユーザがカラオケ装置の利用を完了した後でも、携帯端末とカラオケ装置との紐付けが維持される。そのため、無線ＬＡＮの通信範囲内に携帯端末が存在するうちは、ユーザは、携帯端末を利用して紐付いた相手のカラオケ装置を操作することが可能になる。これは、携帯端末と紐付いたカラオケ装置の存在する部屋をユーザが退出した後で、他のユーザがその部屋を利用しているなどの場合、カラオケ装置を利用していないユーザからの操作が可能となってしまうので、問題である。
【０００５】
本発明は、カラオケ装置と携帯端末とが部屋の外からも通信可能に互いに紐付けされるカラオケシステムにおいて、ユーザがカラオケ装置の利用を終了した場合に、そのユーザの携帯端末からカラオケ装置を操作することを防止する技術を提供することを目的とする。
【課題を解決するための手段】
【０００６】
上記課題を解決するために、本発明の一側面は、予約された楽曲を演奏するカラオケ装置と前記カラオケ装置との間で処理を行う携帯端末とを備え、前記カラオケ装置と前記携帯端末とが互いに通信可能に紐付けされるカラオケシステムであって、前記携帯端末は、前記カラオケ装置との間でデータの送受信を行う端末側無線通信部と、前記携帯端末を利用するユーザのＩＤである端末ユーザＩＤを記憶する端末側記憶部と、前記携帯端末の動作を制御する端末制御部とを備え、前記カラオケ装置は、前記携帯端末との間でデータの送受信を行う装置側無線通信部と、前記カラオケ装置にログインしているユーザのＩＤである装置ユーザＩＤを記憶する装置側記憶部と、前記カラオケ装置の動作を制御する装置制御部とを備え、前記端末制御部は、前記端末側記憶部から取得した前記端末ユーザＩＤを、前記端末側無線通信部を介して、前記カラオケ装置に送信する端末側ＩＤ送信手段を有し、前記装置制御部は、前記端末側ＩＤ送信手段によって前記携帯端末から送信された前記端末ユーザＩＤと、前記装置側記憶部に記憶される前記装置ユーザＩＤとの比較に基づいて、前記端末ユーザＩＤが前記装置ユーザＩＤに含まれるか否かを判断する装置側判断手段を有し、前記端末制御部及び前記装置制御部の少なくとも一方は、前記装置側判断手段によって前記端末ユーザＩＤが前記装置ユーザＩＤに含まれないと判断された場合、前記紐付けを解除する、ことを特徴とするカラオケシステムである。
【０００７】
上記課題を解決するために、本発明の他の側面は、予約された楽曲を演奏するカラオケ装置と前記カラオケ装置との間で処理を行う携帯端末とを備え、前記カラオケ装置と前記携帯端末とが互いに通信可能に紐付けされるカラオケシステムであって、前記携帯端末は、前記カラオケ装置との間でデータの送受信を行う端末側無線通信部と、前記携帯端末を利用するユーザのＩＤである端末ユーザＩＤを記憶する端末側記憶部と、前記携帯端末の動作を制御する端末制御部とを備え、前記カラオケ装置は、前記携帯端末との間でデータの送受信を行う装置側無線通信部と、前記カラオケ装置にログインしているユーザのＩＤである装置ユーザＩＤを記憶する装置側記憶部と、前記カラオケ装置の動作を制御する装置制御部とを備え、前記装置制御部は、前記装置側記憶部に記憶される前記装置ユーザＩＤを、前記装置側無線通信部を介して、前記携帯端末へ送信する装置側ＩＤ送信手段を有し、前記端末制御部は、前記カラオケ装置から送信された前記装置ユーザＩＤと、前記端末側記憶部に記憶される前記端末ユーザＩＤとの比較に基づいて、前記装置ユーザＩＤが前記端末ユーザＩＤに含まれるか否かを判断する端末側判断手段を有し、前記端末制御部及び前記装置制御部の少なくとも一方は、前記端末側判断手段によって前記端末ユーザＩＤが前記装置ユーザＩＤに含まれないと判断された場合、前記紐付けを解除する、ことを特徴とするカラオケシステムである。
【０００８】
これらによれば、携帯端末を利用するユーザのＩＤである端末ユーザＩＤが、カラオケ装置にログインしているユーザのＩＤである装置ユーザＩＤに含まれるか否かが判断される。そして、端末ユーザＩＤが装置ユーザＩＤに含まれない場合、カラオケ装置と前記携帯端末との紐付が解除される。近年のカラオケ装置において、ユーザに多様なサービスを提供する目的で、ユーザの作成したアカウントに対して、カラオケに関連する様々な情報が紐付けられることがある。このようなカラオケ装置の場合、ユーザは、カラオケ装置を利用するときに、ユーザＩＤやパスワードなどを入力することで、自身のアカウントを用いてログインする。そして、ユーザがカラオケ装置の利用を終了するとき、ユーザは、カラオケ装置からログアウトする。即ち、前記した端末ユーザＩＤが装置ユーザＩＤに含まれない場合とは、換言すれば、ユーザがカラオケ装置からログアウトした場合である。従って、端末ユーザＩＤが装置ユーザＩＤに含まれない場合にカラオケ装置と携帯端末との紐付を解除することによって、カラオケ装置の利用を終了したユーザの携帯端末がカラオケ装置を操作することが、防止される。
【０００９】
また、前記携帯端末は、ユーザによって操作される操作部をさらに備え、前記端末制御部は、前記操作部が操作されたとき、前記端末側ＩＤ送信手段を実行してもよい。
【００１０】
あるいは、前記携帯端末は、ユーザによって操作される操作部をさらに備え、前記端末制御部は、前記操作部が操作されたとき、前記カラオケ装置に対し前記装置ユーザＩＤを要求し、前記装置制御部は、前記端末制御部によって前記装置ユーザＩＤが要求されたとき、前記装置側ＩＤ送信手段を実行してもよい。
【００１１】
これらによれば、ユーザによって操作部が操作されたときに、端末ユーザＩＤ又は装置ユーザＩＤの送信が実行される。即ち、ユーザの操作をトリガとして、前記した端末ユーザＩＤが装置ユーザＩＤに含まれるかの判断などが実行されることとなる。ユーザが操作部を操作したときに一連の処理が行われるので、カラオケ装置の利用を終了したユーザの携帯端末が、カラオケ装置を操作することが確実に防止される。
【００１２】
また、前記携帯端末は、情報の提示を行う情報提示部をさらに備え、前記端末制御部は、前記紐付けされた状態が解除されたとき、前記紐付けが解除されたことを示す情報を、前記情報提示部に対して提示する提示処理手段をさらに有してもよい。
【００１３】
これによれば、カラオケ装置と携帯端末との紐付が解除されたときに、携帯端末の情報提示部にその旨を示す情報が提示される。従って、ユーザは、カラオケ装置と携帯端末との紐付が解除されたことを確実に認識することが可能となる。
【００１４】
本発明のさらに他の側面は、予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末であって、前記カラオケ装置との間でデータの送受信を行う端末側無線通信部と、前記携帯端末を利用するユーザのＩＤである端末ユーザＩＤを記憶する端末側記憶部と、前記携帯端末の動作を制御する端末制御部とを備え、前記端末制御部は、前記端末側記憶部に記憶される前記端末ユーザＩＤを、前記端末側無線通信部を介して、前記カラオケ装置に送信するＩＤ送信制御手段と、前記ＩＤ送信制御手段によって前記携帯端末から送信された前記端末ユーザＩＤが、前記カラオケ装置にログインしているユーザのＩＤである装置ユーザＩＤに含まれるか否かが判断された判断結果を、前記端末側無線通信部を介して受信する結果受信制御手段と、前記結果受信制御手段の受信結果が、前記端末ユーザＩＤが前記装置ユーザＩＤに含まれないことを示す場合、前記紐付けを解除する紐付解除手段とを有する、ことを特徴とする携帯端末である。
【００１５】
本発明のさらに他の側面は、予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末であって、前記カラオケ装置との間でデータの送受信を行う端末側無線通信部と、前記携帯端末を利用するユーザのＩＤである端末ユーザＩＤを記憶する端末側記憶部と、前記携帯端末の動作を制御する制御部とを備え、前記制御部は、前記カラオケ装置にログインしているユーザのＩＤである装置ユーザＩＤを、前記カラオケ装置から、前記端末側無線通信部を介して受信するＩＤ受信制御手段と、前記装置ユーザＩＤが、前記端末側記憶部に記憶される前記端末ユーザＩＤに含まれるか否かを判断する判断手段と、前記判断手段によって前記端末ユーザＩＤが前記装置ユーザＩＤに含まれないと判断された場合、前記紐付けを解除する紐付解除手段とを有する、ことを特徴とする携帯端末である。
【００１６】
これらによれば、カラオケ装置の利用を終了したユーザの携帯端末からのカラオケ装置に対する操作を防止できる携帯端末が提供される。
【００１７】
本発明のさらに他の側面は、予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末において実行されるプログラムであって、前記携帯端末を利用するユーザのＩＤである端末ユーザＩＤを取得する端末ユーザＩＤ取得ステップと、前記端末ユーザＩＤ取得ステップによって取得された前記端末ユーザＩＤを、前記カラオケ装置との間でデータの送受信を行う端末側無線通信部を介して、前記カラオケ装置に送信するＩＤ送信制御ステップと、前記ＩＤ送信制御ステップによって前記携帯端末から送信された前記端末ユーザＩＤが、前記カラオケ装置にログインしているユーザのＩＤである装置ユーザＩＤに含まれるか否かが判断された判断結果を、前記端末側無線通信部を介して受信する受信ステップと、前記受信ステップでの受信結果が、前記端末ユーザＩＤが前記装置ユーザＩＤに含まれないことを示す場合、前記紐付けを解除する紐付解除ステップと、を前記携帯端末に実行させることを特徴とするプログラムである。
【００１８】
本発明のさらに他の側面は、予約された楽曲を演奏するカラオケ装置と前記カラオケ装置との間での処理を行う携帯端末とを備え、前記カラオケ装置と前記携帯端末とが互いに通信可能に紐付けされるカラオケシステムに用いられる携帯端末において実行されるプログラムであって、前記携帯端末を利用するユーザのＩＤである端末ユーザＩＤを取得する端末ユーザＩＤ取得ステップと、前記カラオケ装置にログインしているユーザのＩＤである装置ユーザＩＤを、前記カラオケ装置から、前記カラオケ装置との間でデータの送受信を行う端末側無線通信部を介して受信する受信ステップと、前記装置ユーザＩＤが、前記端末ユーザＩＤ取得ステップによって取得された前記端末ユーザＩＤに含まれるか否かを判断する判断ステップと、前記判断ステップにおいて前記端末ユーザＩＤが前記装置ユーザＩＤに含まれないと判断された場合、前記紐付けを解除する紐付解除ステップと、を前記携帯端末に実行させることを特徴とするプログラムである。
【００１９】
これらのプログラムによれば、カラオケ装置の利用を終了したユーザの携帯端末からのカラオケ装置に対する操作を防止できる処理を、携帯端末に実行させることができる。
【００２０】
本発明のさらに他の側面は、予約された楽曲を演奏するカラオケ装置と前記カラオケ装置との間で処理を行う携帯端末とを備え、前記カラオケ装置と前記携帯端末とが互いに通信可能に紐付けされるカラオケシステムで実行される接続解除方法であって、前記携帯端末を利用するユーザのＩＤである端末ユーザＩＤを取得する端末側ＩＤ取得ステップと、前記カラオケ装置にログインしているユーザのＩＤである装置ユーザＩＤを取得する装置ユーザＩＤ取得ステップと、前記端末側ＩＤ取得ステップによって取得された前記端末ユーザＩＤが、前記装置ユーザＩＤ取得ステップによって取得された前記装置ユーザＩＤに含まれるか否かを判断する判断ステップと、前記判断ステップにおいて前記端末ユーザＩＤが前記装置ユーザＩＤに含まれないと判断された場合、前記紐付けを解除する紐付解除ステップと、を有することを特徴とする接続解除方法である。
【００２１】
この方法によれば、カラオケ装置の利用を終了したユーザの携帯端末がカラオケ装置を操作することが、防止される。
【図面の簡単な説明】
【００２２】
【図１】カラオケシステム１の構成を概して説明する図。
【図２】第１の実施形態における、カラオケ装置１０と携帯端末２０とのハードウェア構成を説明するブロック図。
【図３】第１の実施形態における、カラオケ装置１０のフラッシュＲＯＭ１３と、携帯端末２のフラッシュＲＯＭ２３とが記憶する内容を説明する図。
【図４】第１の実施形態における、カラオケ装置１０と携帯端末２０との実行する処理を説明するフローチャート。
【図５】第２の実施形態における、カラオケ装置１００と携帯端末２００とのハードウェア構成を説明するブロック図
【図６】第２の実施形態における、カラオケ装置１００と携帯端末２００との実行する処理を説明するフローチャート。
【発明を実施するための形態】
【００２３】
以下に本発明の実施形態を図面とともに説明する。
＜第１の実施形態＞
［カラオケシステム１の概要］
図１に示すように、本実施形態におけるカラオケシステム１は、カラオケ装置１０と、携帯端末２０とを備える。カラオケ装置１０は、ユーザからの要求によって予約された楽曲を順次演奏する。携帯端末２０は、カラオケ装置１０に対する操作（例えば、楽曲の予約、予約された楽曲の確認など）が可能である。携帯端末２０は、例えば、ユーザが所有する携帯電話に対して、所定のソフトウェアをインストールすることによって構成される。あるいは、携帯端末２０は、カラオケ装置１０に対応して設けられた、専用の端末装置であってもよい。カラオケ装置１０と携帯端末２０とは、基地局ＡＰを介して互いに通信可能に無線接続される。図１では、カラオケ装置１０は、部屋Ｒに１つ設けられている。部屋Ｒの中には、現在カラオケ装置１０を利用しているユーザＵＳＲ１が存在する。ユーザＵＳＲ１は、自身のアカウントを用いてカラオケ装置１０に対してログインすることで、カラオケに関連する様々なコンテンツを利用可能となる。部屋Ｒの外には、ユーザＵＳＲ１の前にカラオケ装置１０の利用を完了した、ユーザＵＳＲ２が存在する。即ち、ユーザＵＳＲ２は、カラオケ装置１０からログアウトをした状態である。今、ユーザＵＳＲ２の携帯電話２０とカラオケ装置１０とが通信可能に紐付いていると、ユーザＵＳＲ２はカラオケ装置１０からログアウトをした上で部屋Ｒを退出しているにもかかわらず、カラオケ装置１０の操作が可能となってしまう。そのため、カラオケ装置１０の利用を終了した（カラオケ装置１０からログアウト済みの）ユーザＵＳＲ２の携帯端末２０からの、カラオケ装置１０に対する操作を防止することが必要となる。
【００２４】
［カラオケ装置１０のハードウェア構成］
図２に示されるように、カラオケ装置１０は、ＣＰＵ１１、プログラムＲＯＭ１２、フラッシュＲＯＭ１３、ＲＡＭ１４及び無線通信部１５を備える。ＣＰＵ１１は、ＲＡＭ１４と協動し、プログラムＲＯＭ１２に記憶された所定のプログラムを実行することで、カラオケ装置１０全体を制御する。プログラムＲＯＭ１２は、カラオケ装置１０が実行する様々な処理のためのプログラムを記憶する。本実施形態では、プログラムＲＯＭ１２は、カラオケ装置１０と携帯端末２０との紐付を解除するための処理（図４参照）で用いられる判断プログラム１２ａを、少なくとも記憶する。フラッシュＲＯＭ１３は、カラオケ装置１０が実行する様々な処理に必要とされる設定値などが記憶される。本実施形態では、フラッシュＲＯＭ１３は、カラオケ装置１０にログインしているユーザを管理するためのデータであるログインユーザＩＤ１３ａを、少なくとも記憶する。ＲＡＭ１４は、ＣＰＵ１１で処理されるプログラムやデータなどを、そのアドレス空間に一時的に記憶する。無線通信部１５は、所定の無線規格に従って、携帯端末２０の無線通信部２５と通信を行う。本実施形態としては、一例として、無線通信部１５は、無線ＬＡＮのインターフェースである。なお、フラッシュＲＯＭ１３でなく、ＲＡＭ１４がログインユーザＩＤを記憶しても差し支えない。また、図２には示されないが、カラオケ装置１０は、カラオケの実行に必要な様々な構成を備える。例えば、各種映像の表示を行う表示部、楽曲データの再生を行う楽曲再生部、インターネットを介して取得された楽曲データを記憶するＨＤＤなどが、カラオケ装置１０に備えられてもよい。
【００２５】
［携帯端末２０のハードウェア構成］
図２に示されるように、携帯端末２０は、ＣＰＵ２１、プログラムＲＯＭ２２、フラッシュＲＯＭ２３、ＲＡＭ２４、無線通信部２５、表示部２６及び操作部２７を備える。ＣＰＵ２１は、ＲＡＭ２４と協動し、プログラムＲＯＭ２２に記憶された所定のプログラムを実行することで、携帯端末２０全体を制御する。プログラムＲＯＭ２２は、携帯端末２０が実行する様々な処理のためのプログラムを記憶する。本実施形態では、プログラムＲＯＭ２２は、カラオケ装置１０と携帯端末２０との紐付を解除するための処理（図４参照）で用いられるＩＤ送信プログラム２２ａ及び提示処理プログラム２２ｂを、少なくとも記憶する。フラッシュＲＯＭ２３は、携帯端末２０が実行する様々な処理に必要とされる設定値などが記憶される。本実施形態では、フラッシュＲＯＭ２３は、個人ＩＤ２３ａ及び紐付け装置ＩＤ２３ｂを少なくとも記憶する。個人ＩＤ２３ａは、携帯端末２０を所有するユーザの、カラオケ装置１０にログインするためアカウントに関するデータである。紐付け装置ＩＤ２３ｂは、携帯端末２０の通信相手（紐付けられる相手）となるカラオケ装置１０を示すデータである。ＲＡＭ２４は、ＣＰＵ２１で処理されるプログラムやデータなどを、そのアドレス空間に一時的に記憶する。無線通信部２５は、所定の無線規格に従って、カラオケ装置１０の無線通信部１５と通信を行う。本実施形態としては、一例として、無線通信部２５は、無線ＬＡＮのインターフェースである。表示部２６は、例えば液晶ディスプレイなどによって構成され、各種情報の表示を行う。操作部２７は、複数のキー・スイッチなどから構成され、ユーザからの入力を受け付ける。
【００２６】
［各種データの説明］
図３を用いて、フラッシュＲＯＭ１３，２３に記憶される各種データの説明が説明される。フラッシュＲＯＭ１３に記憶されるログインユーザＩＤ１３ａは、カラオケ装置１０にログインしているユーザを管理するためのデータである。一例として、ログインユーザＩＤ１３ａは、図３（Ａ）に示されるように、アカウントのＩＤ（ユーザＩＤ）、アカウントの名前（ニックネーム）、カラオケ装置１０にログインした時間（ログイン日時）などを、カラオケ装置１０にログインしているユーザのアカウントそれぞれに対して有する。このログインユーザＩＤ１３ａは、カラオケ装置１０に対して、ユーザからのログイン／ログアウトの操作があった際に更新される。例えば、あるユーザがログインした場合、そのユーザのアカウントのＩＤ（ユーザＩＤ）、アカウントの名前（ニックネーム）、カラオケ装置１０にログインした時間（ログイン日時）などが、ログインユーザＩＤ１３ａに対して登録される。また、カラオケ装置１０にログイン中のユーザがログアウトした場合、そのユーザに関連する情報が、ログインユーザＩＤ１３ａから削除される。なお、これらのログイン／ログアウトの操作は、カラオケ装置１０に設けられた非図示の操作部や操作端末、或いは携帯端末２０などを利用して行われてよい。
【００２７】
フラッシュＲＯＭ２３に記憶される個人ＩＤ２３ａは、携帯端末２０を所有するユーザの、カラオケ装置１０にログインするためアカウントに関するデータである。一例として、個人ＩＤ２３ａは、図３（Ｂ）に示されるように、携帯端末２０を所有するユーザの、アカウントのＩＤ（ユーザＩＤ）、アカウントの名前（ニックネーム）、携帯端末２０のＭＡＣアドレス（携帯ＩＤ１）、携帯端末２０のＩＰアドレス（携帯ＩＤ２）などを有する。個人ＩＤ２３ａには、携帯端末２０を所有するユーザによって、そのユーザの個人設定として予め登録されている。
【００２８】
フラッシュＲＯＭ２２に記憶される紐付け装置ＩＤ２３ｂは、携帯端末２０の通信相手（紐付けられる相手）となるカラオケ装置１０を示すデータである。一例として、紐付け装置ＩＤ２３ｂは、図３（Ｃ）に示されるように、携帯端末２０が紐付く相手としてのカラオケ装置１０のＭＡＣアドレス（カラオケ装置ＩＤ１）や、ＩＰアドレス（カラオケ装置ＩＤ２）などを有する。即ち、携帯端末２０は、紐付け装置ＩＤ２３ｂに含まれるＭＡＣアドレスやＩＰアドレスを利用して、通信相手となるカラオケ装置１０を特定する。従って、カラオケ装置１０と携帯端末２０との通信は、携帯端末２０はカラオケ装置１０に対してユニキャストで行い、カラオケ装置１０がブロードキャストで行った通信を携帯端末２０が紐付け装置ＩＤ２３ｂを基に受信することで達成される。なお、紐付け装置ＩＤ２３ｂには、予め携帯端末２０とカラオケ装置１０との紐付けが行われることによって、カラオケ装置１０のデータが予め登録されている。携帯端末２０とカラオケ装置１０との紐付け方法は、例えば、特願２０１０−１９７９４９号や特願２０１０−１９７９４８号に記載の技術や、ユーザによってカラオケ装置１０のデータが手動入力されるなど、任意の方法であってよい。
【００２９】
［紐付解除処理の説明］
図４を用いて、カラオケ装置１０と携帯端末２０との紐付を解除するための処理の説明が説明される。
【００３０】
先ず、カラオケ装置１０のＣＰＵ１１によって実行されるステップＳＡ１０〜ＳＡ１６が説明される。ステップＳＡ１０では、後記するステップＳＢ１３で携帯電話２０から送信された個人ＩＤ２３ａが、無線通信部１５を介して受信される。その後、ステップＳＡ１１では、プログラムＲＯＭ１２に記憶される判断プログラム１２ａが実行される。具体的には、例えば、個人ＩＤ２３ａのユーザＩＤと、ログインユーザＩＤ１３ａのユーザＩＤとのマッチング処理が実行されることで、ステップＳＡ１１で受信された個人ＩＤ２３ａが、ログインユーザＩＤ１３ａに含まれるか判断される。もちろん、ニックネームによるマッチング処理が実行されてもよい。個人ＩＤ２３ａが、ログインユーザＩＤ１３ａに含まれる場合（ステップＳＡ１１：Ｙ）ステップＳＡ１２に処理が進行する。個人ＩＤ２３ａが、ログインユーザＩＤ１３ａに含まれる場合とは、携帯端末２０のユーザがカラオケ装置１０にログインしている状態である。ステップＳＡ１２では、携帯端末２０のユーザがカラオケ装置１０にログイン中である旨の判断結果が、無線通信部１５を介して携帯端末２０に送信される。一方、個人ＩＤ２３ａが、ログインユーザＩＤ１３ａに含まれない場合（ステップＳＡ１１：Ｎ）ステップＳＡ１３に処理が進行する。個人ＩＤ２３ａが、ログインユーザＩＤ１３ａに含まれない場合とは、携帯端末２０のユーザがカラオケ装置１０からログアウト済みの状態である。ステップＳＡ１３では、携帯端末２０のユーザがカラオケ装置１０からログアウトしている旨の判断結果が、無線通信部１５を介して携帯端末２０に送信される。ステップＳＡ１４では、携帯端末２０からの、カラオケ装置１０に対する操作指令が受信される。この操作指令は、例えば、カラオケ装置１０に所定の機能（曲予約、ボリューム調整など）を実行させるためのものである。ステップＳＡ１５では、携帯端末２０からの操作指令が受信されたか判断される。操作指令が受信された場合（ステップＳＡ１５：Ｙ）、ステップＳＡ１６に処理が進行する。ステップＳＡ１６では、受信された操作指令に対応する機能が実行される。一方、操作指令が受信されない場合（ステップＳＡ１５：Ｎ）、何の機能も実行されない。その後、カラオケ装置１０における紐付を解除するための一連の処理が終了する。
【００３１】
次に、携帯端末２０のＣＰＵ２１によって実行されるステップＳＢ１１〜ＳＢ１８が説明される。ステップＳＢ１１では、カラオケ装置１０に対して所定の操作を行うための案内画面が、表示部２６に表示される。携帯端末２０のユーザは、この案内画面を参照して、操作部２７に対して入力を行う。ステップＳＢ１２では、カラオケ装置１０に対して所定の操作を行うための入力が、操作部２７に対して入力されたかが判断される。操作部２７に対して入力が行われない場合（ステップＳＢ１２：Ｎ）、入力がされるまで待機が実行される。一方、操作部２７に対して入力が行われた場合（ステップＳＢ１２：Ｙ）、ステップＳＢ１３に処理が進行する。ステップＳＢ１３では、プログラムＲＯＭ２２に記憶されたＩＤ送信プログラム２２ａが実行されることにより、個人ＩＤ２３ａが、無線通信部２５を介してカラオケ装置１０に対して送信される。ステップＳＢ１４では、カラオケ端末１０から送信されたステップＳＡ１１の判断結果が、受信される。ステップＳＢ１５では、受信されたステップＳＡ１１の判断結果に従って、処理の分岐がなされる。即ち、ユーザがカラオケ装置１０からログアウト済みの場合、換言すれば、個人ＩＤ２３ａがログインユーザＩＤ１３ａに含まれない場合（ステップＳＢ１５：Ｎ）、処理はステップＳＢ１６に進行する。ステップＳＢ１６では、紐付け装置ＩＤ２３ｂの内容が消去される。そのため、携帯端末２０は、通信相手となるカラオケ装置１０を特定できなくなる。従って、携帯端末２０は、操作指令を特定のカラオケ装置１０に対して送信できなくなり、結果としてカラオケ装置１０と携帯端末２０との紐付けが解除される。ステップＳＢ１７では、プログラムＲＯＭ２２に記憶された提示処理プログラム２２ｂが実行されることにより、表示部２６に、操作対象となるカラオケ装置１０が存在しないことを示す画面が表示される。一方、ユーザがカラオケ装置１０にログイン中の場合、換言すれば、個人ＩＤ２３ａがログインユーザＩＤ１３ａに含まれる場合（ステップＳＢ１５：Ｙ）、処理はステップＳＢ１８に進行する。ステップＳＢ１８では、ステップＳＢ１２で受け付けられた操作指令が、無線通信部２５を介して、カラオケ装置１０に送信される。ステップＳＢ１７又はステップＳＢ１８の完了後、携帯端末２０における紐付を解除するための処理が終了する。
【００３２】
図４に示される処理では、個人ＩＤ２３ａがログインユーザＩＤ１３ａに含まれない場合、換言すれば、ユーザがカラオケ装置１０からログアウトしている場合、カラオケ装置１０と携帯端末２０との紐付が解除される（ステップＳＢ１６）。従って、カラオケ装置１０の利用を終了したユーザの携帯端末２０からカラオケ装置１０を操作することが、防止される。また、操作部２６が操作されたときに、個人ＩＤ２３ａの送信が実行される（ステップＳＢ１２〜ＳＢ１３）。ユーザが操作部２６を操作したときに一連の処理が行われるので、カラオケ装置１０の利用を終了したユーザの携帯端末２０がカラオケ装置を操作することが、確実に防止される。さらに、カラオケ装置１０と携帯端末２０との紐付が解除されたときに、表示部２６に、その旨を示す情報が提示される（ステップＳＢ１７）。従って、ユーザは、カラオケ装置１０と携帯端末２０との紐付が解除されたことを確実に認識することが可能となる。
【００３３】
＜第２の実施形態＞
次に、カラオケ装置１００と携帯端末２００とからなるカラオケシステム２が、図５及び図６を用いて説明される。第１の実施形態では、個人ＩＤ２３ａがログインユーザＩＤ１３ａに含まれるかの判断が、カラオケ装置１０側で行われた。一方、本実施形態は、この判断が携帯端末２００側で行われる点において、第１の実施形態と相違する。
【００３４】
［カラオケシステム２のハードウェア構成］
図５に示されるように、カラオケシステム２は、カラオケ装置１００と携帯端末２００とを備える。カラオケ装置１００は、ＣＰＵ１０１、プログラムＲＯＭ１１０、フラッシュＲＯＭ１２０、ＲＡＭ１３０及び無線通信部１４０を備える。カラオケ装置１００は、プログラムＲＯＭ１１０がＩＤ送信プログラム１１０ａを記憶する点において、第１の実施形態におけるカラオケ装置１０と相違する。プログラムＲＯＭ１１０以外の構成は、カラオケ装置１０とカラオケ装置１００との間で同一であるため、説明は省略される。携帯端末２００は、ＣＰＵ２０１、プログラムＲＯＭ２１０、フラッシュＲＯＭ２２０、ＲＡＭ２３０、無線通信部２４０、表示部２５０及び操作部２６０を備える。携帯端末２００は、プログラムＲＯＭ２１０が判断プログラム２１０ａを有する点において、第１の実施形態における携帯端末２０と相違する。プログラムＲＯＭ２１０以外の構成は、携帯端末２０と携帯端末２００との間で同一であるため、説明は省略される。
【００３５】
［紐付解除処理の説明］
図６を用いて、カラオケ装置１００と携帯端末２００との紐付を解除するための処理の説明が説明される。
【００３６】
先ず、カラオケ装置１００のＣＰＵ１０１によって実行されるステップＳＡ１０１〜ＳＡ１０５が説明される。ステップＳＡ１０１では、後記するステップＳＢ１０３で携帯電話２０から送信された、ログインユーザＩＤ１２０ａの送信を要求する信号が受信される。ステップＳＡ１０２では、プログラムＲＯＭ１１０に記憶されたＩＤ送信プログラム１１０ａが実行されることによって、ログインユーザＩＤ１２０ａが、無線通信部１４０を介して、携帯端末２００に送信される。ステップＳＡ１０３〜ＳＡ１０５は、図４に示されるステップＳＡ１３〜ＳＡ１５と同様の処理であるため、説明が省略される。
【００３７】
次に、携帯端末２００のＣＰＵ２０１によって実行されるステップＳＢ１０１〜ＳＢ１０９が説明される。ステップＳＢ１０１〜ＳＢ１０２は、図４に示されるステップＳＢ１１〜ＳＢ１２と同様の処理であるため、説明が省略される。ステップＳＢ１０３では、ログインユーザＩＤ１２０ａの送信を要求する信号が、無線通信部２４０を介して、カラオケ装置１００に対して送信される。ステップＳＢ１０４では、カラオケ装置１００から送信されたログインユーザＩＤ１２０ａが、無線通信部２４０を介して受信される。ステップＳＢ１０５では、プログラムＲＯＭ２１０に記憶された判断プログラム２１０ａが実行されることによって、個人ＩＤ２２０ａがログインユーザＩＤ１２０ａに含まれるかが判断される。具体的には、図４に示されるステップＳＡ１１と同様に、ステップＳＢ１０４で受信されたログインユーザＩＤ１２０ａと、フラッシュＲＯＭ２２０に記憶される個人ＩＤ２２０ａとが比較されることで、個人ＩＤ２２０ａがログインユーザＩＤ１２０ａに含まれるかが判断される。個人ＩＤ２２０ａがログインユーザＩＤ１２０ａに含まれない場合、換言すれば、ユーザがカラオケ装置１００からログアウト済みの場合、処理はステップＳＢ１０６に進行する。一方、個人ＩＤ２２０ａがログインユーザＩＤ１２０ａに含まれる場合、換言すれば、ユーザがカラオケ装置１００にログイン中の場合、処理はステップＳＢ１０８に進行する。ステップＳＢ１０６〜ＳＢ１０９は、図４に示されるステップＳＢ１５〜ＳＢ１８と同様の処理であるため、説明が省略される。
【００３８】
＜変形例＞
本発明は、今までに述べた実施形態に限定されることは無く、その趣旨を逸脱しない範囲において種々の変形・変更が可能である。以下にその一例を述べる。
【００３９】
前記した実施形態では、カラオケ装置と携帯端末の紐付けは、通信相手となるカラオケ装置のカラオケ装置ＩＤ（ＭＡＣアドレス、ＩＰアドレスなど）を含む紐付け装置ＩＤが記憶されることで、達成された。そして、紐付けの解除は、この紐付け装置ＩＤが消去されることで、携帯端末が通信相手を特定できなくすることにより、達成された。しかし、カラオケ装置と携帯端末の紐付けとその解除は、他の如何なる方法によって達成されてもよい。一例として、携帯端末の個人ＩＤに含まれる携帯ＩＤ（ＭＡＣアドレス、ＩＰアドレスなど）が、カラオケ装置のフラッシュＲＯＭに記憶されてもよい。この場合、携帯端末は操作指令などを通信相手を特定せずにブロードキャストし、カラオケ装置がフラッシュＲＯＭに記憶された携帯ＩＤを基に受信することとなる。逆に、カラオケ装置は、携帯ＩＤを有する携帯端末へとユニキャストすることとなる。そして、紐付けの解除は、カラオケ装置のフラッシュＲＯＭに記憶された携帯ＩＤが消去されることで達成される。もちろん、カラオケ装置と携帯端末との両方が互いのＩＤを記憶し、ユニキャスト／ブロードキャストによって通信が達成されても差し支えない。
【００４０】
前記した実施形態において、携帯端末は、無線ＬＡＮを介してカラオケ装置と接続される。しかし、カラオケ装置の存在する部屋の外から通信が可能であれば、他のいかなる無線通信方式によって、携帯端末とカラオケ装置とが接続されてもよい。例えば、携帯端末としてユーザの携帯電話が利用される場合、携帯端末は、無線ＬＡＮ以外にも、電話回線に対して無線接続する機能を有することとなる。電話回線が利用される場合、カラオケ装置に対して通信可能な外部のサーバを介することで、携帯端末とカラオケ装置とが通信可能に紐付けされる。即ち、携帯端末は、外部のサーバに対して紐付け装置ＩＤを含む操作指令を送信する。そして、外部のサーバは、カラオケ装置に対してその操作指令を転送する。カラオケ装置が一つの店舗に複数存在し、その店舗におけるローカルＩＰがカラオケ装置に割り振られている場合、外部のサーバは、その店舗においてグローバルＩＰを有するルーターを介してカラオケ装置に対して通信することとなる。このような場合、携帯端末は、この店舗を示す情報を操作指令に含めて外部のサーバに送信するのがよい。店舗を示す情報としては、例えば、ルーターのグローバルＩＰや、サーバ側に店舗ＩＤとその店舗のルーターのグローバルＩＰの対応テーブルなどが存在するなら店舗ＩＤなど、であってよい。このようにすれば、店舗におけるＬＡＮの通信帯域を圧迫することなく、携帯端末とカラオケ装置との紐付けが可能となる。
【符号の説明】
【００４１】
１，２  カラオケシステム
１０，１００  カラオケ装置
２０，２００  携帯端末
【図１】
0005488495.tif 000002
【図２】
0005488495.tif 000003
【図３】
0005488495.tif 000004
【図４】
0005488495.tif 000005
【図５】
0005488495.tif 000006
【図６】
0005488495.tif 000007